(57)【特許請求の範囲】
【請求項１】
液体を収容した可撓性を有する液体容器がその液体容器の一端に形成された抽出口部に向けて下降傾斜する状態に載置される載置部と、
この載置部より下方位置に設けられ、載置部に載置された液体容器の抽出口部が配置されてその抽出口部を通じて液体容器内の液体を定量抽出する定量抽出手段と、
前記載置部に載置される液体容器の他端が係合される係合部と、
この係合部を介して前記載置部に載置された前記液体容器の他端をその抽出口部に対して引っ張る引張方向に向けて付勢する付勢手段と
を具備していることを特徴とする液体抽出装置。
【請求項２】
液体容器の他端が係合する係合部を有し、液体容器を収納して載置部に載置されるトレイを備え、
付勢手段はトレイを液体容器の引張方向に付勢する
ことを特徴とする請求項１記載の液体抽出装置。
【請求項３】
液体容器を収納するトレイ本体、このトレイ本体に液体容器の引張方向に対応してスライド可能に設けられるとともに液体容器の他端が係合する係合部が設けられたスライド体を有するトレイを備え、
付勢手段はトレイ本体に対してスライド体を液体容器の引張方向に付勢する
ことを特徴とする請求項１記載の液体抽出装置。
【請求項４】
液体容器の引張方向に対応するトレイ本体の他端側の底面にその底面より突出する段部が形成され、この段部の内側にスライド体がスライド可能に配設されるとともに付勢手段が配設され、かつ、段部にはスライド体の係合部がその段部の上面からスライド可能に突出するスライド孔が形成された
ことを特徴とする請求項３記載の液体抽出装置。
【発明の詳細な説明】
【０００１】
【発明の属する技術分野】
本発明は、液体を収容した可撓性を有する液体容器内から液体を定量抽出する液体抽出装置に関する。
【０００２】
【従来の技術】
従来、例えば、飲料をカップに抽出して提供するカップディスペンサやカップ式自動販売機などでは、コーヒー、紅茶、ウーロン茶などの酸化や細菌に汚染されやすい低酸性飲料原料液や中性飲料原料液などの濃縮原料液を、ポリエチレン製などの可撓性を有する袋状の液体容器に無菌状態で封入したものを使用し、飲料提供時に液体容器内の原料液を定量抽出するとともに冷水や湯水で希釈してカップに抽出するようにした液体抽出装置がある。
【０００３】
このように液体容器から原料液を定量抽出するようにした液体抽出装置では、例えば、特開平６−２９３３４８号公報または特開平６−２９３３９３号公報に記載されているように、液体容器をその液体容器の一端に形成された抽出口部に向けて下降傾斜する状態に配置するとともに、液体容器の抽出口部を抽出機構に配置することにより、液体容器内の原料液を重力作用によって抽出口部内に一定量ずつ呼び込み、この抽出口部に呼び込まれた一定量の原料液を抽出機構により抽出するようにしている。
【０００４】
ところで、原料液の抽出が繰り返されて液体容器内の原料液の残量が減少してくると、液体容器内の原料液の残量が減少する前の状態のときに比べて、一定時間（例えば、１回の抽出完了後に原料液の呼び込みを開始した時点から次回の抽出を開始するまでの時間）内に一定量の原料液を抽出口部に呼び込まれなくなる場合があり、原料液の定量性が減少方向にばらつく問題がある。
【０００５】
さらに、液体容器内の原料液の残量が減少すると、液体容器にしわが寄り、そのしわが寄った部分に原料液が残留する現象が生じるため、液体容器内に抽出可能とする量の原料液が残留しているにもかかわらず、定量の原料液を抽出口部に呼び込むことができなくなり、液体容器の交換時期が早期に生じる問題がある。
【０００６】
そこで、例えば、特公平３−１１９９７号公報に記載されているように、液体容器内の原料液の残量が減少することにより、液体容器を平らに開いた状態でその液体容器の抽出口部とは反対の他端側をばねで巻き込み、液体容器内の原料液に抽出口部への呼び込み圧力を加えるとともに、液体容器にしわが寄らないようにした構造がある。
【０００７】
また、特公平６−４５３９７号公報に記載されているように、液体容器を平らに開いた状態でその液体容器の上面から押圧板で押圧し、液体容器内の原料液に抽出口部への呼び込み圧力を加えるとともに、液体容器にしわが寄ってもそのしわの部分に残留する原料液を強制的に押し出すようにした構造がある。
【０００８】
【発明が解決しようとする課題】
しかしながら、前記各公報に記載された構造では、いずれも、液体容器を平らに開いた状態で液体抽出装置に配置しなければならず、原料液の内容量を確保した幅広の液体容器を使用する場合には、液体抽出装置内に１つの液体容器しか配置できなかったり、液体抽出装置内に複数の液体容器を並列に配置するときには液体抽出装置が幅方向に大形化してしまう。
【０００９】
したがって、例えば液体容器をほぼコ字形に曲げて小形に配置するようにした液体抽出装置の場合には、前記各公報に記載された構造は適用できず、上述した液体容器内の原料液の残量が減少することに伴って、原料液の定量性が減少方向にばらつく問題、および液体容器のしわが寄って原料液が残留する問題を解消できないでいる。
【００１０】
本発明は、このような点に鑑みなされたもので、例えば液体容器をほぼコ字形に曲げて小形に配置するようにした場合でも、液体容器内の液体の減少によって、液体の定量性が減少方向にばらついたり、液体容器にしわが寄って液体が残留するのを防止できる液体抽出装置を提供することを目的とする。
【００１１】
【課題を解決するための手段】
請求項１記載の液体抽出装置は、液体を収容した可撓性を有する液体容器がその液体容器の一端に形成された抽出口部に向けて下降傾斜する状態に載置される載置部と、この載置部より下方位置に設けられ、載置部に載置された液体容器の抽出口部が配置されてその抽出口部を通じて液体容器内の液体を定量抽出する定量抽出手段と、前記載置部に載置される液体容器の他端が係合される係合部と、この係合部を介して前記載置部に載置された前記液体容器の他端をその抽出口部に対して引っ張る引張方向に向けて付勢する付勢手段とを具備しているものである。
【００１２】
そして、基本的な抽出動作では、載置部に載置された液体容器がその液体容器の抽出口部に向けて下降傾斜する状態にあるため、液体容器内の液体が自重により抽出口部に呼び込まれ、定量抽出手段により定量ずつ抽出される。
【００１３】
また、載置部に載置された液体容器がその抽出口部に対して引っ張られる引張方向に付勢され、液体容器に引張力が常にかかるため、液体容器内の液体が減少しても、液体の抽出時の一定時間内に一定量の原料液を抽出口部に呼び込まれる。さらに、液体容器内の液体が減少しても、液体容器が伸張されてその液体容器に生じようとするしわが伸ばされ、定量抽出ができなくなる時点での液体の残量が少なくなる。したがって、例えば液体容器をほぼコ字形に曲げて小形に配置するようにした場合でも、液体容器内の液体の減少によって、液体の定量性が減少方向にばらついたり、液体容器にしわが寄って液体が残留するのが防止される。
【００１４】
請求項２記載の液体抽出装置は、請求項１記載の液体抽出装置において、液体容器の他端が係合する係合部を有し、液体容器を収納して載置部に載置されるトレイを備え、付勢手段はトレイを液体容器の引張方向に付勢するものである。
【００１５】
そして、液体容器をトレイの係合部に係合するとともにトレイ内に収納し、このトレイを載置部に載置して液体容器の引張方向に付勢することにより、液体容器に引張力が常にかかる。
【００１６】
請求項３記載の液体抽出装置は、請求項１記載の液体抽出装置において、液体容器を収納するトレイ本体、このトレイ本体に液体容器の引張方向に対応してスライド可能に設けられるとともに液体容器の他端が係合する係合部が設けられたスライド体を有するトレイを備え、付勢手段はトレイ本体に対してスライド体を液体容器の引張方向に付勢するものである。
【００１７】
そして、液体容器をスライド体の係合部に係合するとともにトレイ本体内に収納し、このトレイ本体を載置部に載置することにより、トレイ本体に対してスライド体を液体容器の引張方向に付勢するため、液体容器の引張力が常にかかる。
【００１８】
請求項４記載の液体抽出装置は、請求項３記載の液体抽出装置において、液体容器の引張方向に対応するトレイ本体の他端側の底面にその底面より突出する段部が形成され、この段部の内側にスライド体がスライド可能に配設されるとともに付勢手段が配設され、かつ、段部にはスライド体の係合部がその段部の上面からスライド可能に突出するスライド孔が形成されたものである。
【００１９】
そして、トレイ本体の底面より突出する段部の内側にスライド体やスプリングなどの機構を納められる。
【００２０】
【発明の実施の形態】
以下、本発明の液体抽出装置の一実施の形態を図面を参照して説明する。
【００２１】
図１ないし図１３に液体抽出装置の第１の実施の形態を示す。
【００２２】
図１３には液体抽出装置としてのディスペンサの液体抽出経路の構成図を示し、抽出部１に配置されたカップ２内に飲料の濃縮された原料液（液体）が抽出されるとともに冷水が抽出され、カップ２内で原料液と冷水とが混合されて希釈した飲料が作られる。
【００２３】
原料液の抽出には、原料液が収容された液体容器３が用いられるとともに、この液体容器３から原料液を定量抽出する定量抽出手段４が用いられる。
【００２４】
冷水の抽出には、冷水供給装置５が用いられる。この冷水供給装置５は、冷水タンク６を備え、この冷水タンク６には冷却水が貯留され、この冷却水が冷却ユニット７によって所定の水温に冷却される。冷却ユニット７は、冷媒を圧縮するコンプレッサ８、放熱用ファン９を有する凝縮器１０、冷水タンク６内に配置された蒸発器１１などから構成される冷却サイクル１２を備えている。
【００２５】
冷水タンク６には冷却パイプ１３が配置され、この冷却パイプ１３に給水電磁弁１４、減圧弁１５を通じて水道水などが給水され、冷却パイプ１３を通じて冷却された冷水が水量調整弁１６および冷水電磁弁１７を通じて抽出部１に導かれてカップ２内に抽出される。
【００２６】
冷水タンク６には、モータ１８で回転されて冷却水を撹拌する撹拌スクリュー１９、冷水タンク６内の冷水の温度を検知する水温センサ２０、冷水タンク６内に貯留される冷却水量を検知するフロートスイッチ２１、冷水タンク６から水を抜くためのドレンコック２２などが設けられている。冷水タンク６内には、給水電磁弁２３を通じて水道水などが給水される。
【００２７】
また、図１１および図１２にはディスペンサの斜視図を示し、冷却タンク６や冷却ユニット７などが内蔵された機体３１を有し、この機体３１の前面上部に突出部３２が形成され、この突出部３２の前面に前面扉３３が開閉可能に取り付けられている。
【００２８】
機体３１の上部には空間３４が形成され、この空間３４により液体容器３を収納したトレイ３５が左右方向に２つ並んで着脱可能に装着される２つのトレイ装着部３６が形成されている。空間３４（２つのトレイ装着部３６）の底面にはトレイ３５が載置される載置部３７が形成され、この載置部３７は前方へ向けて下降傾斜する傾斜面状に形成され、載置部３７の前縁部にはトレイ３５の前方への移動を規制するストッパ３８が各トレイ装着部３６の両側域に対応してそれぞれ形成されているとともに（図８参照）、載置部３７の前端から下方に折曲されてガイド面部３９が形成されている。
【００２９】
載置部３７の前面下部には、各トレイ装着部３６の位置に対応して２つの定量抽出手段４が並列に配設されているとともに、各定量抽出手段４の下側に冷水供給装置５から冷水が抽出されるノズル４０が配設されている。
【００３０】
突出部３２の下側の機体３１の前面には、右側の定量抽出手段４の下方位置において、例えば冷水に混合しにくい原料液の場合に定量抽出手段４によって抽出される原料液とノズル４０から抽出される冷水とを受け入れて混合するとともに下方に抽出するミキシングボール４１が必要に応じて選択的に着脱自在に取り付けられる。
【００３１】
機体３１の前面下部にはスノコ４２を装着した受皿４３が着脱自在に取り付けられ、この受皿４３上の各定量抽出手段４の下方位置にカップ２が配置される２つの抽出部１が形成される。スノコ４２には各抽出部１にカップ２を位置決めするホルダ４４が設けられている。なお、受皿６２には、この受皿６２上に受けた飲料などを排水する図示しない排水管に接続される。
【００３２】
前面扉３３の前面には、各抽出部１に対して飲料の抽出を指示する抽出釦４５がそれぞれ２つずつ設けられている。各２つの抽出釦４５は、例えば飲料の異なる抽出量を選択できるように設定する。
【００３３】
また、図３および図４には液体容器３の斜視図を示し、液体容器３は、ガスバリヤ性が高くかつ可撓性がある材料、例えばポリエチレン・接着層・エバール・接着層・ポリエチレンの多層フィルムで形成され、飲料の原料液を収納する液体収納袋部５１およびこの液体収納袋部５１の一端に設けられてその液体収納袋部５１内の原料液を抽出する抽出口部５２を有している。
【００３４】
液体収納袋部５１には、原料液が充填されるとともに充填後に閉塞蓋５３で閉塞される充填口５４が一体に取り付けられている。抽出口部５２には定量抽出袋部５５、この定量抽出袋部５５と液体収納袋部５１とを連通する入口部５６、定量抽出袋部５５の入口部５６とは反対側に連通する出口部５７を有している。
【００３５】
液体容器３には表壁と裏壁の２枚の多層フィルムが用いられ、その周縁がヒートシール部５８を介して溶着されて全体が密閉状態に形成されている。また、抽出口部５２の入口部５６の両側のヒートシール部５８には抽出口部５２を定量抽出手段４に位置決めして取り付けるための一対のセット孔５９が形成され、抽出口部５２とは反対の液体収納袋部５１の他端のヒートシール部５８にはトレイ３５に取り付けるための一対の係合孔６０が形成されている。
【００３６】
そして、液体容器３への飲料の原料液の充填時には、入口部５６を着脱自在のクランプ６１で挟んで液体収納袋部５１から抽出口部５２に原料液が流出しないように閉塞しておき、液体収納袋部５１の充填口５４を通じて無菌充填機で飲料の原料液を充填し、充填後に充填口５４を閉塞蓋５３で閉塞する。
【００３７】
また、図１および図２にはトレイ３５の断面図を示し、トレイ３５は、トレイ本体７１、裏蓋７２、スライド体７３、付勢手段としてのスプリング７４にて構成されている。
【００３８】
トレイ本体７１は、図３および図４に示すように、底板７５を有し、この底板７５の両側縁には側板７６が立設されるとともに後側縁には後面板７７が立設され、これら底板７５、両側板７６および後面板７７によって液体容器３を収納可能とする液体容器収容空間７１ａ  が形成されている。
【００３９】
トレイ本体７１の両側板７６の間隔寸法が液体容器３の液体収納袋部５１の横幅よりも狭く形成され、両側板７６の前端が底板７５の前端部７５ａ  よりも前方に延設され、その両側板７６の前端上部寄りが前側の取手としても機能する横継部７８で連結されている。両側板７６の下縁には底板７５の前端部７５ａ  の位置に対応して底板７５の下面より下方に突出する係止突部７９が形成され、トレイ３５を載置部３７に載置した際に各係止突部７９が載置部３７の前端のストッパ３８に係合される。また、トレイ本体７１の後面板７７には取手８０が形成されている。
【００４０】
トレイ本体７１の底板７５のほぼ中央部から後部側には傾斜面８１を介して底板７５の前部側より上方に突出する段部８２が形成され、この段部８２の中央にはスライドガイド部８３が下面側に突出することによって凹部８４が前後方向に形成され、この凹部８４の両側に一対のスライド孔８５が前後方向に沿って形成されている。
【００４１】
トレイ本体７１の段部８２の下側には、図５ないし図７に示すように、スライド体７３およびスプリング７４が収納される収納空間８６が形成され、この収納空間８６の下面が裏蓋７２によって開閉可能に閉塞される。段部８２の下面には、収納空間８６の周囲にその収納空間８６を囲むとともに裏蓋７２が内側に嵌合されるリブ８７が突設され、中央にスライドガイド部８３が前後方向に沿って突出され、このスライドガイド部８３の両側に裏蓋７２をねじ止めする取付ボス８８が形成され、スライドガイド部８３の前端に係合ボス８９が突設されている。
【００４２】
トレイ本体７１の底板７５の下面には、段部８２の下面に突設されたリブ８７に連続して、底板７５の周縁形状に沿ってリブ９０が突設されるとともに、このリブ９０の内側に前後方向および左右方向に沿ってリブ９１が突設されている。これらのリブ８７，９０，９１の下面は同一面に形成され、図１および図２に示すように、トレイ３５を載置部３７に載置した際にこれらのリブ８７，９０，９１が載置部３７に接して載置される。また、図５に示すように、底板７５の前端部７５ａ  に臨むリブ９０の前端のリブ部９０ａ  は、その前端部７５ａ  より後方に離反した位置に配設され、図１および図２に示すように、トレイ３５を載置部３７に載置した際に、底板７５の前端部７５ａ  とリブ部９０ａ  と載置部３７との間に前方に開口する隙間部９２が形成される。なお、載置部３７に載置されたトレイ３５の底板７５の前端部７５ａ  は載置部３７の前端部とほぼ同一位置に配置される。
【００４３】
スライド体７３は、図６および図７に示すように、トレイ本体７１の収納空間８６に配置されるベース部９５を有し、このベース部９５には、上面中央にスライドガイド部８３にスライド自在に係合するガイド溝９６が前後方向に沿って形成され、上面四隅近傍に半球状の突部９７が突設されているとともに下面四隅近傍に突部９８が突設されている。そして、上面の突部９７が段部８２の下面に点接触し、下面の突部９８が裏蓋７２の上面に点接触して、ベース部９５が収納空間８６内に前後方向にスライド自在に保持されている。
【００４４】
スライド体７３の上面には段部８２の一対のスライド孔８５を通じてトレイ本体７１の液体容器収容空間７１ａ  に突出する円柱状の一対の係合部９９が立設され、スライド体７３の下面前端には係合ボス１００  が突設されている。液体容器収容空間７１ａ  に突出する一対の係合部９９には、その液体容器収容空間７１ａ  に収納される液体容器３の一対の係合孔６０が係合される。
【００４５】
スプリング７４は、ばね性を有する線材の中央にコイル部１０１  が形成されるとともにこのコイル部１０１  から両端のリンク部１０２  が延設されたトグルばねにて構成され、各リンク部１０２  の先端にはリング部１０３  が形成されている。そして、例えば、装着前の状態では両リンク部１０２  が反対方向に向けて突出している状態から、両リンク部１０２  がほぼＶ字状に接近するようにばね性に抗して変位させ、その弾性変位状態で一方のリング部１０３  トレイ本体７１の係合ボス８９の外側に係合させるとともに、他方のリング部１０３  をスライド体７３の係合ボス１００  の外側に係合させる。これにより、トレイ本体７１に対してスライド体７３を後方の液体容器３を引張る引張方向に付勢する。
【００４６】
また、定量抽出手段４は、図１および図９に示すように、固定枠体１１１  およびこの固定枠体１１１  の前面に開閉可能に設けられた可動枠体１１２  を備え、これら固定枠体１１１  と可動枠体１１２  との間に液体容器３の抽出口部５２が着脱可能に装着される抽出通路１１３  が上下方向に形成されている。
【００４７】
固定枠体１１１  の中央には呼込空間１１４  を構成する凹部１１５  が形成され、この凹部１１５  には押圧プレート１１６  が配設され、この押圧プレート１１６  は図示しないモータを駆動源とする押圧プレート駆動機構により抽出通路１１３  に対して進退される。そして、押圧プレート１１６  は、抽出通路１１３  外への後退時にその後退量に応じた量の原料液を抽出口部５２に呼び込むとともに、抽出通路１１３  内への前進時に抽出口部５２に呼び込んだ原料液を抽出させるように作用する。
【００４８】
固定枠体１１１  の凹部１１５  の上下部には一対のピンチ体１１７  ，１１８  が配設され、これら各ピンチ体１１７  ，１１８  は図示しないピンチ体駆動機構によりいずれか一方が抽出通路１１３  に進出するとともに他方が後退するように進退される。そして、ピンチ体１１７  ，１１８  は、抽出口部５２の入口部５６および出口部５７を開閉可能とし、入口部５６を開放したときに出口部５７を閉鎖し、入口部５６を閉鎖したときに出口部５７を開放するように作用する。
【００４９】
固定枠体１１１  の凹部１１５  の上部のピンチ体１１７  の両側位置には、抽出口部５２の一対のセット孔５９を係合してその抽出口部５２を固定枠体１１１  に対して位置決めするフック１１９  が突設されている。このフック１１９  は、図１０に示すように、セット孔１１９  の孔径とほぼ同程度の直径に形成された軸部１２０  を有し、この軸部１２０  の先端にセット孔５９より径大な径大部１２１  が形成されている。径大部１２１  の先端面は球面状に形成されているとともに軸部１２０  側は軸方向に対して直角な平面状に形成されている。
【００５０】
次に、第１の実施の形態の作用を説明する。
【００５１】
まず、液体容器３をトレイ３５に収納してディスペンサに装着する。図３および図４に示すように、液体容器３の一対の係合孔６０をトレイ３５の一対の係合部９９に係合して液体容器３の液体収納袋部５１をトレイ３５内に上方から挿入し、液体収納袋部５１の中央部域をトレイ３５の底板７５および段部８２の上面に載置するとともに両側部域をトレイ３５の両側板７６の内側面に沿わせて配置する。抽出口部５２を横継部７８の下側に通して底板７５の前端部７５ａ  から垂れ下がった状態とする。
【００５２】
そして、図１１に示すように、ディスペンサの前面扉３３を開放し、液体容器３を収納したトレイ３５を上部の空間３４の各トレイ装着部３６に前面から挿入して載置部３７上に載置する。トレイ３５を載置部３７に載置すると、図１に示すように、トレイ３５の下面から突出するリブ８７，９０，９１が載置部３７に接して前方に下降傾斜する状態に載置され、トレイ３５の両側板７６の前端近傍から突出する各係止突部７９が載置部３７の前端の各ストッパ３８に係合して前方への下降傾斜が位置決め規制される。
【００５３】
このとき、液体容器３の抽出口部５２が底板７５の前端部７５ａ  から垂れ下がった状態にあるが、抽出口部５２の両側位置に対応するトレイ３５の両側板７６の位置で係止突部７９とストッパ３８とが係合すること、およびトレイ３５の底板７５の前端部７５ａ  とリブ部９０ａ  と載置部３７との間に前方に開口する隙間部９２が形成されることにより、抽出口部５２がトレイ３５と載置部３７との間に挟み込まれるのを防止でき、液体容器３を収納したトレイ３５のディスペンサへの装着性を良好にできる。
【００５４】
そして、定量抽出手段４の可動枠体１１２  を開放回動させて固定枠体１１１  の前面を開放し、抽出口部５２を固定枠体１１１  の抽出通路１１３  に係合しながら、抽出口部５２の一対のセット孔５９を固定枠体１１１  から突出するフック１１９  に係合して、抽出口部５２を抽出通路１１３  に位置決めする。その後、可動枠体１１２  を固定枠体１１１  の前面に閉じてロックする。なお、フック１１９  の先端には径大部１２１  が形成されているため、セット孔５９を径大部１２１  に圧入して軸部１２０  に通すことにより、抽出口部５２がフック１１９  の先端方向に移動しても、セット孔５９が径大部１２１  に引っ掛かり、セット孔５９がフック１１９  から不用意に脱落するのを防止でき、液体容器３の装着性を良好にできる。
【００５５】
これにより、抽出口部５２が、固定枠体１１１  と可動枠体１１２  との間に挟まれて、抽出通路１１３  内に配置される。抽出通路１１３  内では、抽出口部５２の定量抽出袋部５５が押圧プレート１１６  に臨み、入口部５６が上側のピンチ体１１７  に臨み、出口部５７が下側のピンチ体１１８  に臨む。出口部５７の下端部は抽出通路１１３  の下方に突出する。そして、抽出口部５２の入口部５６を閉止しているクランプ６１を外し、抽出口部５２の出口部５７の先端を切断して開封する。
【００５６】
以上で液体容器３のディスペンサへの装着を完了する。なお、本実施の形態では種類の異なる原料液を収容した２個の液体容器３をトレイ３５によって各トレイ装着部３６に装着する。
【００５７】
そして、図１に示すように、液体容器３内に原料液が十分に入っている初期状態では、その原料液の重量に応じて液体容器３がトレイ３５の傾斜に沿って前方に滑り落ちようとする力が作用し、この力がスプリング７４の付勢力に勝って、スライド体７３が前方に移動している。
【００５８】
次に、ディスペンサによる飲料の抽出動作を説明する。定量抽出手段４の待機状態では、押圧プレート１１６  が抽出通路１１３  に進入する前進位置に位置し、この押圧プレート１１６  で抽出口部５２の定量抽出袋部５５を可動枠体１１２  に押圧して閉止している。上側のピンチ体１１７  が開放位置に位置するとともに下側のピンチ体１１８  が閉塞位置に位置し、下側のピンチ体１１８  で抽出口部５２の出口部５７を閉止している。
【００５９】
そして、ディスペンサを操作して飲料を得るには、カップ２を好みの種類の飲料が抽出される抽出部１すなわち受皿４３のスノコ４２上に載置し、好みの飲料の種類でかつ抽出量に対応する前面扉３３の抽出釦４５を押動操作する。
【００６０】
抽出釦４５が操作されると、対応する種類の定量抽出手段４の押圧プレート１１６  が抽出量に応じた距離分だけ後退して、押圧プレート１１６  の前面側に呼込空間１１４  を形成する。これにより、抽出口部５２の定量抽出袋部５５が呼込空間１１４  の方向に突出することが可能となり、液体容器３の液体収納袋部５１内の原料液がその自重によって抽出口部５２の入口部５６を通じて定量抽出袋部５５に呼び込まれていく（図１参照）。このとき、押圧プレート１１６  の後退量に応じた量の原料液が定量抽出袋部５５に呼び込まれる。
【００６１】
続いて、上側のピンチ体１１７  が閉止位置に移動するとともに、下側のピンチ体１１８  が開放位置に移動する。これにより、上側のピンチ体１１７  で抽出口部５２の入口部５６を閉止して、液体収納袋部５１内の原料液が抽出口部５２に流入するのを阻止する。下側のピンチ体１１８  が開放位置に移動することにより、抽出口部５２の出口部５７が開放され、定量抽出袋部５５内に呼び込まれた原料液が出口部５７の下端から抽出部１に配置されたカップ２内またはミキシングボール４１に抽出される。さらに、押圧プレート１１６  が前進し、定量抽出袋部５５を可動枠体１１２  に対して強制的に押圧し、定量抽出袋部５５内の原料液が強制的に抽出される。
【００６２】
続いて、抽出口部５２の出口部５７からの原料液のタレが無くなる時間を考慮した所定時間経過後、上側のピンチ体１１７  を開放位置に移動させるとともに、下側のピンチ体１１８  を閉止位置に移動させる。これにより、定量抽出手段４が初期の待機状態に復帰し、原料液の一連の抽出動作が完了し、次の原料液の抽出動作に待機する。
【００６３】
一方、原料液の抽出動作に対応して、冷水供給装置５が動作し、抽出部１のカップ２内またはミキシングボール４１に冷水を抽出して、そのカップ２内またはミキシングボール４１内で原料液と冷水とが混合されて希釈した飲料が作られる。ミキシングボール４１が使用された場合には、ミキシングボール４１で混合されて希釈した飲料がカップ２に抽出される。
【００６４】
そして、図２に示すように、液体容器３からの原料液の抽出が繰り返されて液体容器３内の原料液の残量が減少してくると、原料液が十分に収容されていた初期時に比べて重量が軽くなり、この原料液の重量に応じて液体容器３がトレイ３５の傾斜に沿って前方に滑り落ちようとする力よりスプリング７４の付勢力が勝り、スライド体７３が後方に移動する。
【００６５】
したがって、液体容器３内の原料液の量にかかわらず、液体容器３の液体収納袋部５１には常に張力がかかるため、液体容器３内の原料液の残量が減少しても、原料液の抽出時に押圧プレート１１６  が後退してから上側のピンチ体１１７  で抽出口部５２の入口部５６を閉止するまでの一定時間内に一定量の原料液を抽出口部５２に呼び込むことができ、原料液の定量性が減少方向にばらつくのを防止できる。
【００６６】
さらに、液体容器３内の原料液の残量が減少すると、液体容器３の液体収納袋部５１にしわが寄り、そのしわが寄った部分に原料液が残留する現象が生じるが、液体容器３の液体収納袋部５１の後端をスプリング７４の付勢によって後方へ引っ張り、液体収納袋部５１を伸張させてその液体収納袋部５１に生じようとするしわを伸ばすことができるため、定量抽出ができなくなる時点での原料液の残量を少なくできる。そのため、液体容器３の液体収納袋部５１内の原料液が減少しても、液体収納袋部５１内から定量の原料液を抽出口部５２に呼び込むことができ、原料液の無駄が少なく、液体容器３の交換時期を延長することができる。
【００６７】
以上のように、液体容器３をトレイ３５にほぼコ字形に曲げて小形に配置するようにした場合でも、液体容器３内の原料液の減少によって、原料液の定量性が減少方向にばらついたり、液体容器にしわが寄って原料液が残留するのを防止できる。
【００６８】
また、トレイ３５の底板７５に段部８２を設けたため、この段部８２の内側の収納空間８６にスライド体７３やスプリング７４などの機構を納めることができる。
【００６９】
次に、図１４を参照して液体抽出装置の第２の実施の形態を説明する。
【００７０】
トレイ３５には、底板７５から係合部９９を固定的に突設し、取手８０を上下方向に開口する形状とし、係止突部７９を省略した構造とする。トレイ装着部３６には、載置部３７の後端から立設された背面板にコイルスプリングにて構成されるスプリング７４の後端側を連結し、トレイ３５の取手８０に係脱可能とするトレイ係合体１５１  をスプリング７４の前端に連結し、載置部３７の前端のストッパ３８を省略した構造とする。
【００７１】
そして、液体容器３を収納したトレイ３５をトレイ装着部３６に前方から挿入し、トレイ３５の取手８０をトレイ係合体１５１  に係合させて、トレイ３５を載置部３７上に載置する。トレイ３５は液体容器３の原料液の重量に応じて載置部３７の傾斜に沿って滑り落ちる前方へ移動しようとし、これにスプリング７４の引張力が均衡して支持する。スプリング７４の引張力により、トレイ３５およびこのトレイ３５と一体に液体容器３の後端が後方へ引っ張られ、液体容器３に引張力が常にかかる。
【００７２】
液体容器３の原料液が減少してくると、スプリング７４の引張力により、トレイ３５と一体に液体容器３の後端が後方へ引っ張られ、液体容器３が伸張されるため、第１の実施の形態と同様の作用効果を奏する。
【００７３】
トレイ３５のトレイ装着部３６からの取り外しは、トレイ係合体１５１  を上方へ移動させて取手８０との係合を解除することにより行なえる。
【００７４】
このようにスプリング７４などの機構をトレイ装着部３６側に設けることにより、トレイ３５自体の構造を簡素化できる。
【００７５】
次に、図１５を参照して液体抽出装置の第３の実施の形態を説明する。
【００７６】
第２の実施の形態と同様に、トレイ３５には、底板７５から係合部９９を固定的に突設し、係止突部７９を省略した構造とし、さらに、底板７５の底面から係合突片１５２  を突設する。トレイ装着部３６の載置部３７には、コイルスプリングにて構成されるスプリング７４をその伸縮方向が前後方向に向くように配置し、このスプリング７４の前端を載置部３７から立設された支持片１５３  で支持する。
【００７７】
そして、液体容器３を収納したトレイ３５をトレイ装着部３６に前方から挿入し、トレイ３５の係合突片１５２  をスプリング７４の後端側に係合させて、トレイ３５を載置部３７上に載置する。トレイ３５は液体容器３の原料液の重量に応じて載置部３７の傾斜に沿って滑り落ちる前方へ移動しようとし、これにスプリング７４の圧縮に対する反発力が均衡して支持する。スプリング７４の圧縮に対する反発力により、トレイ３５およびこのトレイ３５と一体に液体容器３の後端が後方へ引っ張られ、液体容器３に引張力が常にかかる。
【００７８】
液体容器３の原料液が減少してくると、スプリング７４の圧縮に対する反発力により、トレイ３５と一体に液体容器３の後端が後方へ引っ張られ、液体容器３が伸張されるため、第１の実施の形態と同様の作用効果を奏する。
【００７９】
トレイ３５のトレイ装着部３６からの取り外しは、トレイ３５を上方へやや持ち上げて係合突片１５２  をスプリング１５２  の後端から外すことにより行なえる。
【００８０】
このようにスプリング７４などの機構をトレイ装着部３６側に設けることにより、トレイ３５自体の構造を簡素化できる。
【００８１】
次に、図１６を参照して液体抽出装置の第４の実施の形態を説明する。
【００８２】
この実施の形態では、トレイ３５を使用せず、液体容器３を載置部３７に直接載置する形態を採る。トレイ装着部３６に対応する液体容器装着部３６ａ  の後部側に巻取装置１６１  を配設する。この巻取装置１６１  はワイヤ１６２  を図示しないリールに巻き取る方向にスプリングなどの付勢手段によって付勢されており、この巻取付勢に抗してワイヤ１６２  を引出可能としている。ワイヤ１６２  の先端には一対の係合部９９を有する引掛体１６３  が連結されている。
【００８３】
そして、液体容器３を液体容器装着部３６ａ  に装着するには、引掛体１６３  を前方に引き寄せてワイヤ１６２  を巻取付勢に抗して引っ張り出し、引掛体１６３  の係合部９９に液体容器３の係合孔６０を係合した後、液体容器３を載置部３７上に直接載置する。液体容器３は原料液の重量に応じて載置部３７の傾斜に沿って滑り落ちる前方へ移動しようとし、これに巻取装置１６１  によるワイヤ１６２  の巻取付勢力が均衡して支持する。巻取装置１６１  によるワイヤ１６２  の巻取付勢力により、液体容器３の後端を後方へ引っ張り、液体容器３に引張力が常にかかる。
【００８４】
液体容器３の原料液が減少してくると、巻取装置１６１  の付勢手段によるワイヤ１６２  の巻取付勢力により、液体容器３の後端が後方へ引っ張られ、液体容器３が伸張されるため、第１の実施の形態と同様の作用効果を奏する。
【００８５】
液体容器３の液体容器装着部３６ａ  からの取り外しは、液体容器３および引掛体１６３  を前方に引き寄せ、液体容器３を引掛体１６３  から外すことにより行なえる。
【００８６】
このように、トレイ３５を使用しなくても、第１の実施の形態と同様の作用効果を奏する。
【００８７】
【発明の効果】
請求項１記載の液体抽出装置によれば、液体容器の他端が係合される係合部を介して、付勢手段により液体容器の他端をその抽出口部に対して引っ張る引張方向に向けて付勢するので、液体容器内の液体の量にかかわらず液体容器に引張力が常にかかり、液体容器内の液体が減少しても、液体の抽出時の一定時間内に一定量の液体を抽出口部に呼び込むことができ、液体の定量性が減少方向にばらつくのを防止でき、さらに、液体容器内の液体が減少しても、液体容器を伸張させてその液体容器に生じようとするしわを伸ばすことができ、定量抽出ができなくなる時点での液体の残量を少なくでき、液体の無駄を少なくできる。したがって、例えば液体容器をほぼコ字形に曲げて小形に配置するようにした場合でも、液体容器内の液体の減少によって、液体の定量性が減少方向にばらついたり、液体容器にしわが寄って液体が残留するのを防止できる。
【００８８】
請求項２記載の液体抽出装置によれば、請求項１記載の液体抽出装置の効果に加えて、液体容器をトレイの係合部に係合するとともにトレイ内に収納し、このトレイを載置部に載置して液体容器の引張方向に付勢するため、トレイを用いて液体容器の装着性を良好にできる。
【００８９】
請求項３記載の液体抽出装置によれば、請求項１記載の液体抽出装置の効果に加えて、トレイをトレイ本体、スライド体および付勢手段で構成し、液体容器をスライド体の係合部に係合するとともにトレイ本体内に収納し、このトレイ本体を載置部に載置することにより、トレイ本体に対してスライド体を液体容器の引張方向に付勢するため、トレイを用いて液体容器の装着性を良好にできる。
【００９０】
請求項４記載の液体抽出装置によれば、請求項３記載の液体抽出装置の効果に加えて、トレイ本体の底面にその底面より突出する段部を設けたため、この段部の内側にスライド体やスプリングなどの機構を納めることができる。
【図面の簡単な説明】
【図１】本発明の第１の実施の形態を示す液体抽出装置に原料液が満たされた液体容器を装着した状態の断面図である。
【図２】同上実施の形態の液体抽出装置に装着された液体容器の原料液が減少した状態の断面図である。
【図３】同上実施の形態のトレイと液体容器の分解状態の斜視図である。
【図４】同上実施の形態のトレイに液体容器を装着した状態の斜視図である。
【図５】同上実施の形態のトレイの底面図である。
【図６】同上実施の形態のトレイの一部の断面図である。
【図７】同上実施の形態のトレイの底蓋を外した状態の底面図である。
【図８】同上実施の形態のトレイを載置部に載置した状態の正面図である。
【図９】同上実施の形態の定量抽出手段の斜視図である。
【図１０】同上実施の形態の定量抽出手段の一部の側面図である。
【図１１】同上実施の形態の液体抽出装置の分解状態の斜視図ある。
【図１２】同上実施の形態の液体抽出装置の外観の斜視図である。
【図１３】同上実施の形態の液体抽出装置の液体抽出経路の構成図である。
【図１４】本発明の第２の実施の形態を示す液体抽出装置の一部の断面図である。
【図１５】本発明の第３の実施の形態を示す液体抽出装置の一部の断面図である。
【図１６】本発明の第４の実施の形態を示す液体抽出装置の一部の斜視図である。
【符号の説明】
３    液体容器
４    定量抽出手段
３５    トレイ
３７    載置部
５２    抽出口部
７１    トレイ本体
７３    スライド体
７４    付勢手段としてのスプリング
８２    段部
８５    スライド孔
９９    係合部
【図１】
0003562740.tif 000002
【図２】
0003562740.tif 000003
【図３】
0003562740.tif 000004
【図４】
0003562740.tif 000005
【図５】
0003562740.tif 000006
【図６】
0003562740.tif 000007
【図７】
0003562740.tif 000008
【図８】
0003562740.tif 000009
【図９】
0003562740.tif 000010
【図１０】
0003562740.tif 000011
【図１１】
0003562740.tif 000012
【図１２】
0003562740.tif 000013
【図１３】
0003562740.tif 000014
【図１４】
0003562740.tif 000015
【図１５】
0003562740.tif 000016
【図１６】
0003562740.tif 000017